(57)【要約】【課題】  数百枚の記録紙が収納された包装体を吊り下げることができるような強度を有する吊り下げ部材を有するとともに、包装体の使用、保管に際して、吊り下げ部材が邪魔にならない積層シート包装体を実現する。【解決手段】  吊り下げ部材を基部と該基部から立ち上がった突出部で形成し、包装容器本体の上面部に設けられた孔に前記突出部通すことにより、前記吊り下げ部材を前記包装容器本体にとりつける。ユーザは吊り下げ部材を取り外してシート積層体を使用し、保管することができる。【選択図】        図５
2006264705.tif 000002
【特許請求の範囲】
【請求項１】
シート積層体を収容する包装容器本体、
該包装容器本体内に収容された多数枚のシートからなるシート積層体及び、
吊り下げ部材を有する積層シート包装体において、
前記包装容器本体と、基部及び突出部で構成された前記吊り下げ部材とが別部材よりなることを特徴とする積層シート包装体。
【請求項２】
シート積層体を収容する包装容器本体、
該包装容器本体内に収容された多数枚のシートからなるシート積層体及び、
吊り下げ部材を有する積層シート包装体において、
前記包装容器本体の上面部に孔を設けるとともに、前記吊り下げ部材を突出部及び基部で構成し、前記孔に前記突出部を通すことにより、前記吊り下げ部材を前記包装容器本体に着脱可能に取り付けたことを特徴とする積層シート包装体。
【請求項３】
前記突出部は、前記基部のほぼ中央部に形成され、前記上面部と前記基部とが重層を形成することを特徴とする請求項１又は請求項２に記載の積層シート包装体。
【請求項４】
前記基部は少なくとも部分的に重層構造を有することを特徴とする請求項１〜３のいずれか１項に記載の積層シート包装体。
【請求項５】
前記基部は前記包装容器本体の前記突出部の長手方向に直角な方向の奥行き長さＨ１以下で、且つ、前記奥行き長さＨ１の５０％以上の前記突出部の長手方向に直角な方向の奥行き長さＨ２を有することを特徴とする請求項１〜４のいずれか１項に記載の積層シート包装体。
【請求項６】
前記突出部は２枚の紙からなる重層構造を有することを特徴とする請求項１〜５のいずれか１項に記載の積層シート包装体。
【請求項７】
前記吊り下げ部材は前記孔に糊付けなしで前記包装容器本体に結合されることを特徴とする請求項２に記載の積層シート包装体。
【請求項８】
シート積層体を収容する包装容器本体、
該包装容器本体内に収容された多数枚のシートからなるシート積層体及び、
吊り下げ部材を有する積層シート包装体において、
前記吊り下げ部材は、重層構造の２枚の紙からなる基部及び該基部のほぼ中央部に設けられた突出部を有することを特徴とする積層シート包装体。
【請求項９】
シート積層体を収容する包装容器本体及び吊り下げ部材を有する積層シート包装容器において、
前記包装容器本体と前記吊り下げ部材が別部材よりなることを特徴とする積層シート包装容器。
【請求項１０】
シート積層体を収容する包装容器本体及び吊り下げ部材を有する積層シート包装容器において、
前記包装容器本体の上面部に孔を設けるとともに、前記吊り下げ部材を突出部及び基部で構成し、前記孔に前記突出部を通すことにより、前記吊り下げ部材を前記包装容器本体に着脱可能に取り付けたことを特徴とする積層シート包装容器。
【請求項１１】
シート積層体を収容する包装容器本体及び吊り下げ部材を有する積層シート包装容器において、
前記吊り下げ部材は、重層構造の２枚の紙からなる基部及び該基部のほぼ中央部に設けられた突出部を有することを特徴とする積層シート包装容器。
【請求項１２】
表面部、裏面部、左側面部、右側面部、上面部及び下面部が折り線を介して連続するとともに、前記上面部に吊り下げ部材用の孔が設けられたシートを折り曲げて、胴部を有する中間体を形成する工程、
２枚の基部及び突出部を有するシートを折り曲げて、前記基部のほぼ中央部に前記突出部を突出させる工程、
前記突出部を前記吊り下げ部材用の孔に通すことにより、前記中間体に前記吊り下げ部材を結合する工程、
前記胴部内にシート積層体を挿入する工程、
及び前記表面部、前記裏面部、前記左側面部、前記右側面部、前記上面部及び前記下面部の隣り合う面部間を結合代により結合して、箱状の積層シート包装体を作成することを特徴とする積層シート包装方法。
【発明の詳細な説明】
【技術分野】
【０００１】
本発明は、積層シート、特に画像記録用シートの包装技術に関する。
【背景技術】
【０００２】
インクジェット記録紙等の画像記録紙は、多くの場合、棒状の吊り下げ具に吊り下げられて店頭に陳列される。
【０００３】
しかるに、１個の包装体が１００枚以上の記録紙を収納したものとなる場合も少なくなく、包装体に設けられる吊り下げ部材には、収納された記録紙の質量に耐えうるかなりの強度が必要になる。
【０００４】
特許文献１には、このような強度上の問題を解決するために、
ポリプロピレン樹脂からなる収納ケースの上面に吊り下げ用のヘッダーを一体成型により形成したインクジェット記録紙用収納ケースが提案されている。
【０００５】
また、１枚の厚紙を折り曲げて、１枚の厚紙から収納容器本体とともに、吊り下げ部材を形成したものがある。
【特許文献１】特開２００４−１１５１０８号公報
【発明の開示】
【発明が解決しようとする課題】
【０００６】
インクジェット記録紙等の画像記録用紙が収納された積載シート包装体の取り扱い段階としては、生産者から流通過程を経て、店頭に陳列される流通販売過程と、ユーザが購入して使用する使用過程とがある。
【０００７】
流通販売過程においては、個々の収納容器の形状が問題となることはほとんどない。というのは、多数の収納容器をケースに纏めた状態で取り扱われるからである。個々の収納容器の形態が問題となのは、店頭における陳列が主であり、それ以外はほとんど無い。従って、特許文献１のように、陳列上の問題を解決することにより、流通販売過程における包装容器本体の取り扱い上の問題は解決される。
【０００８】
これに対して、ユーザ段階での使用過程では、個々の収納容器の形態が問題となる。
【０００９】
特許文献１のように、ヘッダーが収納容器から突出したものでは、該ヘッダーにより不必要なスペースが占有されることになって、ユーザが不便を感ずる。即ち、記録用紙は通常、引き出しや用具入れに収納されるが、ヘッダーがあるために、引き出しや用具入れに収納できない場合が起こりうる。
【００１０】
このために、特許文献１では、ヘッダーを切除可能に設けることが提案されているが、そうすると、ヘッダーの強度が下がって、ヘッダーの本来の機能が低下するという問題がある。
【００１１】
１枚の紙から吊り下げ部材を形成するものでも同様な問題があり、吊り下げ部材が突出して保管の邪魔になるという問題がある。
【００１２】
本発明は、多数枚の積層シートの包装体における前記の問題を解決することを目的とする。
【課題を解決するための手段】
【００１３】
前記目的は下記の発明により達成される。
（請求項１）
シート積層体を収容する包装容器本体、
該包装容器本体内に収容された多数枚のシートからなるシート積層体及び、
吊り下げ部材を有する積層シート包装体において、
前記包装容器本体と、基部及び突出部で構成された前記吊り下げ部材とが別部材よりなることを特徴とする積層シート包装体。
（請求項２）
シート積層体を収容する包装容器本体、
該包装容器本体内に収容された多数枚のシートからなるシート積層体及び、
吊り下げ部材を有する積層シート包装体において、
前記包装容器本体の上面部に孔を設けるとともに、前記吊り下げ部材を突出部及び基部で構成し、前記孔に前記突出部を通すことにより、前記吊り下げ部材を前記包装容器本体に着脱可能に取り付けたことを特徴とする積層シート包装体。
（請求項３）
前記突出部は、前記基部のほぼ中央部に形成され、前記上面部と前記基部とが重層を形成することを特徴とする請求項１又は請求項２に記載の積層シート包装体。
（請求項４）
前記基部は少なくとも部分的に重層構造を有することを特徴とする請求項１〜３のいずれか１項に記載の積層シート包装体。
（請求項５）
前記基部は前記包装容器本体の前記突出部の長手方向に直角な方向の奥行き長さＨ１以下で、且つ、前記奥行き長さＨ１の５０％以上の前記突出部の長手方向に直角な方向の奥行き長さＨ２を有することを特徴とする請求項１〜４のいずれか１項に記載の積層シート包装体。
（請求項６）
前記突出部は２枚の紙からなる重層構造を有することを特徴とする請求項１〜５のいずれか１項に記載の積層シート包装体。
（請求項７）
前記吊り下げ部材は前記孔に糊付けなしで前記包装容器本体に結合されることを特徴とする請求項２に記載の積層シート包装体。
（請求項８）
シート積層体を収容する包装容器本体、
該包装容器本体内に収容された多数枚のシートからなるシート積層体及び、
吊り下げ部材を有する積層シート包装体において、
前記吊り下げ部材は、重層構造の２枚の紙からなる基部及び該基部のほぼ中央部に設けられた突出部を有することを特徴とする積層シート包装体。
（請求項９）
シート積層体を収容する包装容器本体及び吊り下げ部材を有する積層シート包装容器において、
前記包装容器本体と前記吊り下げ部材が別部材よりなることを特徴とする積層シート包装容器。
（請求項１０）
シート積層体を収容する包装容器本体及び吊り下げ部材を有する積層シート包装容器において、
前記包装容器本体の上面部に孔を設けるとともに、前記吊り下げ部材を突出部及び基部で構成し、前記孔に前記突出部を通すことにより、前記吊り下げ部材を前記包装容器本体に着脱可能に取り付けたことを特徴とする積層シート包装容器。
（請求項１１）
シート積層体を収容する包装容器本体及び吊り下げ部材を有する積層シート包装容器において、
前記吊り下げ部材は、重層構造の２枚の紙からなる基部及び該基部のほぼ中央部に設けられた突出部を有することを特徴とする積層シートの包装容器。
（請求項１２）
表面部、裏面部、左側面部、右側面部、上面部及び下面部が折り線を介して連続するとともに、前記上面部に吊り下げ部材用の孔が設けられたシートを折り曲げて、胴部を有する中間体を形成する工程、
２枚の基部及び突出部を有するシートを折り曲げて、前記基部のほぼ中央部に前記突出部を突出させる工程、
前記突出部を前記吊り下げ部材用の孔に通すことにより、前記中間体に前記吊り下げ部材を結合する工程、
前記胴部内にシート積層体を挿入する工程、
及び前記表面部、前記裏面部、前記左側面部、前記右側面部、前記上面部及び前記下面部の隣り合う面部間を結合代により結合して、箱状の積層シート包装体を作成することを特徴とする積層シート包装方法。
【発明の効果】
【００１４】
請求項１〜７、９、１０又は１２の発明により、包装容器本体に対して吊り下げ部材を別部材として設けたので、吊り下げ部材に、収納される積層シートの質量に十分に耐えうる強度を持たせることが出来るとともに、積層シート包装体の使用に際しては、吊り下げ部材を取り外すことが可能であり、取り扱い上の不便さや保管に不必要なスペースが必要になることもなくなる。
【００１５】
請求項３〜７のいずれかの発明により、吊り下げ部材の強度を十分に確保することが可能となり、店頭における陳列時における型崩れや吊り下げ部材の剥離を防止することができる。
【００１６】
請求項７の発明により、吊り下げ部材を必要に応じて、包装用基本体から取りはずすことが出来るとともに、包装工程において糊付け工程がないので、包装工程の時間を短縮することができる。
【００１７】
請求項８又は請求項１１の発明により、紙を用いた包装でも、収納されるシート積層体の質量に十分に耐えうる強度の吊り下げ部材を備えた積層シートの包装体又は包装容器が実現される。
【発明を実施するための最良の形態】
【００１８】
図１〜７を参照して本発明の実施の形態１を説明する。
【００１９】
図１は本発明の実施の形態に係る積層シート包装体の斜視図、図２は、該積層シート包装体の図１における面Ｚに沿った断面図である。
【００２０】
前記積層シート包装体は、包装容器本体Ａ、吊り下げ部材Ｂ及び積層シートＣ１、Ｃ２、Ｃ３からなる。
【００２１】
包装容器本体Ａは４角形の箱の形態を有し、シールＰ１、Ｐ２及び表示Ｒ１・・・Ｒｎが箱の周面に付されている。シールＰ１、Ｐ２は結合代（後に説明）による結合部を接着し、積層シート包装体の輸送や使用等の取り扱い時に、箱が型崩れしたり、面は剥がれするのを防止している。表示Ｒ１・・・Ｒｎは文字やイラストからなり、収納物の内容の説明、製造販売者の表示、性能表示等である。箱の６面全部にこれらの表示をつけることが可能である。
【００２２】
吊り下げ部材Ｂは吊り具（図示せず）が挿入される孔Ｂａ（図に付す）を有し、図２に示すように包装容器本体の上辺部に設けられた孔Ａ５ａ（図に付す）から上方に突出している。
【００２３】
積層シートＣ１、Ｃ２、Ｃ３は密閉包袋を形成する包袋Ｅ１、Ｅ２、Ｅ３及び包袋Ｅ１、Ｅ２、Ｅ３に収納されたシートＦ１〜Ｆｎからなる。
【００２４】
本実施の形態は、インクジェット記録紙の包装体であり、包装容器本体Ａ及び吊り下げ部材Ｂはカラー印刷が可能は表面層を有する紙からなる。
【００２５】
包装容器本体Ａ及び吊り下げ部材Ｂに用いられる紙としては、ボール紙、板紙、クラフト紙、段ボール等が好ましい。
【００２６】
より好ましくは、厚さ０．１ｍｍ〜３．０ｍｍ、更に好ましくは、厚さ０．３ｍｍ〜１．０ｍｍのボール紙が用いられる。
【００２７】
積層シートは枚葉のシートが積層された集合体であればよく、インクジェット記録用紙の他、感熱用記録用紙でも良い。また、はがきのような両面印刷可能な用紙でも良い。
【００２８】
包袋Ｅ１、Ｅ２、Ｅ３はポリプロピレン等の樹脂シート又は加工紙からなる密閉性のシートで構成される。シートＦ１〜Ｆｎはインクジェット記録紙であり、各包袋Ｅ１、Ｅ２、Ｅ３内に、たとえば、１００単位で収納される。積層体によっては全体を１つの包袋に包装しても、包袋に包装せずそのまま本発明に係る包装容器に収納してもよい。
【００２９】
次に、包装容器本体Ａ及び吊り下げ部材Ｂの作成方法について説明するが以下の説明のために、図１の包装容器本体Ａを形成している各面に下記のように符号をつける。
【００３０】
表面部：Ａ１、右側面部：Ａ２、裏面部：Ａ３、左側面部：Ａ４、上面部：Ａ５、底面部：Ａ６
なお、図１において隠れている面部を（・・）のように括弧内に示している。
【００３１】
図３は包装容器本体Ａに形成される前のシートＳ１を示す。
【００３２】
シートＳ１は図示のように、主として、表面部Ａ１、右側面部Ａ２、裏面部Ａ３、左側面部Ａ４、上面部Ａ５及び底面部Ａ６の部分からなり、裁断加工された紙からなる。
【００３３】
表面部Ａ１の両側に左右側面部Ａ２、Ａ４が連続しており、表面部Ａ１と左右側面部Ａ２、Ａ４との境界は点線Ｔ１、Ｔ２で示すように、折り線となっており、該折り線で直角に折り曲げられる。
【００３４】
右側面部Ａ２には結合代Ａ２ｎが、左側面部Ａ４には、結合代Ａ４ｎがそれぞれ形成され、これら結合代Ａ２ｎ、Ａ４ｎは点線Ｔ３、Ｔ４で示す折り線で直角に曲げられ、裏面部Ａ３に結合する。
【００３５】
表面部Ａ１の図３における左右両側に、上面部Ａ５及び下面部Ａ６が点線Ｔ５、Ｔ６で示す折り線を介して連続する。
【００３６】
上面部Ａ５には、吊り下げ部材Ｂを通す孔Ａ５ａが設けられる。上面部Ａ５には更に、図３の上下に結合代Ａ５ｎ１、Ａ５ｎ２が点線Ｔ７、Ｔ８で示す折り線を介して連続する。結合代Ａ５ｎ１は左側面部Ａ４と上面部Ａ５とを結合し、結合代Ａ５ｎ２は右側面部Ａ２と上面部Ａ５とを結合する。
【００３７】
図３の上面部Ａ５の左には、裏面部Ａ３が点線Ｔ９で示す折り線を介して連続する。裏面部Ａ３の図３における左端には点線Ｔ１０で示す折り線を介して糊代Ａ３ｎが連続する。糊代Ａ３ｎは裏面部Ａ３に対して直角に曲げられ、底面部Ａ６と結合する。なお、糊代Ａ５ｎには接着剤が塗布され、糊代Ａ５ｎは底面部Ａ６に接着される。
【００３８】
底面部Ａ６には、点線Ｔ１１、Ｔ１２でお示す折り線を介して結合代Ａ６ｎ１及びＡ６ｎ２が連続する。
【００３９】
図３における上方の結合代Ａ６ｎ１は左側面部Ａ４と底面部Ａ６とを結合し、下方の結合代Ａ６ｎ２は右側面部Ａ２と底面部Ａ６とを結合する。
【００４０】
なお、右側面部Ａ２と結合代Ａ２ｎとの境界線及び左側面部Ａ４と結合代Ａ４ｎとの境界線には、実線Ｊ１〜Ｊ４で示す切り込み部が形成される。
【００４１】
また、結合代Ａ５ｎ１、Ａ５ｎ２、Ａ６ｎ１、Ａ６ｎ２にはそれぞれ段部Ｄが形成される。
【００４２】
図３のシートＳ１を折って、箱を形成した際に、切り込み部Ｊ１〜Ｊ４と段部Ｄとが結合して、面外れや型くずれをしない箱が形成される。
【００４３】
図４は吊り下げ部材Ｂに形成される前のシートＳ２を示す。
【００４４】
シートＳ２は紙からなり、互いに向き合ったコ字状の基部Ｂ１、Ｂ２を有し、基部Ｂ１には点線Ｔ２０で示す折り線を介して突出部Ｂ３が連続し、基部Ｂ２には点線Ｔ２２で示す折り線を介して突出部Ｂ４が連続し、突出部Ｂ３とＢ４とは点線Ｔ２１で示す折り線を介して連続する。
【００４５】
突出部Ｂ３には吊り下げ具（図示せず）を通す孔Ｂ３ａが形成され、突出部Ｂ４には、吊り下げ具を通す孔Ｂ４ａが形成される。
【００４６】
なお、図４において、実線Ｊ５〜Ｊ１０は切り込み線を示し、この部分においてシートＳ２は切り離されている。従って、基部Ｂ１とＢ２とは、突出部Ｂ３、Ｂ４のみを介して連続している。
【００４７】
シートＳ１，Ｓ２はシート状で有ればよく、紙、合成紙、プラスチック樹脂シート等用いることができるが、箱の形状を保持し、取り扱い時に通常加えられる外力に対して収容物を保護することができる程度の剛性が必要であること、搬送時に収納されたシートが容器内部にぶつかって端部折れ、傷が発生することの無いよう有る程度素材自体が弾性を有していること、廃棄環境性が良いこと、の観点より、紙であることが好ましい。さらに本包装体を複数まとめて外箱等に入れて輸送するときに、重ねることで収納効率を良くするためにつり下げ部材Ｂは折り曲げ可能であることが好ましく、この観点からもシートＳ２は紙であることが好ましい。また、Ｓ２をＳ１を作成するシートの余った部分、例えば図３の裏面部：Ａ３の下部空白部分、で作成することで廃棄物がより少なくなり好ましい。
【００４８】
次に、積層シート包装体の組み立て工程を説明する。
【００４９】
工程１
糊代Ａ３ｎの表面に接着剤を塗布する。
【００５０】
工程２
次に、シートＳ１を、図１における縦の折り線、即ち、Ｔ５、Ｔ６、Ｔ９及びＴ１０の部分で直角に折り曲げ、糊代Ａ３ｎを底面部の裏面（箱の内側になる面）に接着する。
【００５１】
これら２工程により、図５（ａ）に示す中間体Ｍ１ができあがる。
【００５２】
工程３
シートＳ２を図６（ａ）〜（ｃ）のように、基部Ｂ２に対して基部Ｂ１を矢印Ｘのように接近させて折り線Ｔ２０〜Ｔ２２で折り曲げ、突出部Ｂ３とＢ４とが折り重なるとともに、基部Ｂ１とＢ２の一部が重なる。基部Ｂ１は図４に示すように、上下の帯状部Ｂ１ａ、Ｂ１ｂと有し、基部Ｂ２は上下の帯状部Ｂ２ａ、Ｂ２ｂを有するが、帯状部Ｂ１ａと帯状部Ｂ２ａとが、帯状部Ｂ１ｂと帯状部Ｂ２ｂとがそれぞれ一部重なる。
【００５３】
このような折り畳みによりできあがったのが図６（ｃ）に示すものであり、その断面を図７に示す。
【００５４】
突出部Ｂ３とＢ４とが重なった状態では、孔Ｂ３ａとＢ４ａとが一致して図１における一つの孔Ｂａを形成する。
【００５５】
工程２は工程１に続いて行われるが、工程３は工程１、２に対して先又は後にいずれに行われても良い。
【００５６】
工程４
図５（ｂ）に示す中間体Ｍ１に吊り下げ部材Ｂを取り付ける。
【００５７】
この工程は、中間体Ｍ１の胴部内に吊り下げ部材Ｂを矢印Ｗ１のように入れ、突出部Ｂ３、Ｂ４の重なったもの孔Ａ５ａに通すことにより行われる。これにより、図５（ｂ）の中間体Ｍ２ができあがる。
【００５８】
工程６
予め、図８に示すシート積層体Ｃ１、Ｃ２、Ｃ３が形成され用意されており、これらシート積層体Ｃ１、Ｃ２、Ｃ３を中間体Ｍ２の胴部内に矢印Ｗ２のように収納し、図５（ｂ）に示すように、結合代Ａ５ｎ１、Ａ５ｎ２、Ａ６ｎ１、Ａ６ｎ２を折り線Ｔ７、Ｔ８、Ｔ１１及びＴ１２（図３参照）で直角に折り曲げ、次に、右側面部Ａ２及び左側面部Ａ４を折り線でＴ１、Ｔ２、Ｔ３及びＴ４直角に折り曲げる。
【００５９】
これにより、結合代Ａ４ｎが結合代Ａ５ｎ１とＡ６ｎ１とにより、また、結合代Ａ２ｎが結合代Ａ５ｎ２とＡ６ｎ２とにより保持され、さらに移送時に結合部が開かないようにシールＰ１、Ｐ２を貼付ることで直方体の箱形状が保持され、図１に示す積層シート包装体ができあがる。なお、結合代Ａ５ｎ１とＡ５ｎ２とＡ４ｎ又は結合代Ａ６ｎ１とＡ６ｎ２とＡ２ｎは糊づけせず、最終的にユーザーが内容物を取り出す際の開閉口とすることができる。この構造により、開閉口が下面部Ａ６とならないことで、つり下げ具につり下げた陳列状態においてシート積層体の質量による底抜けが防止される。なお、工程６の結合代Ａ５ｎ１とＡ５ｎ２とＡ４ｎ又は結合代Ａ６ｎ１とＡ６ｎ２とＡ２ｎの結合作業は、シート積層体Ｃ１、Ｃ２、Ｃ３を包装容器Ｍ２の胴部内に収納する前に片側を先に結合させておいても良い。
【００６０】
図１の積層シート包装体は棒状の吊り具を孔Ｂａに通すことにより、吊り下げ、陳列される。
【００６１】
この場合、突出部Ｂ３、Ｂ４が重層構造であるとともに、突出部Ｂ３、Ｂ４の支えである、基部Ｂ１、Ｂ２が重送構造を形成するので、十分な強度が確保される。また折り畳まれた状態で突出部Ｂ３，Ｂ４はシートの同じが表面となるため、予め表面に印刷したあと、シートを打ち抜き、折り畳めば、突出部Ｂ３，Ｂ４いずれも印刷面が表面となるため外観上好ましい。
【００６２】
吊り下げ部材Ｂに吊り下げるシート積層体の質量に十分に耐えうる強度をもたせるには、基部Ｂ１、Ｂ２の長さ、即ち、図２における長さＨ２が包装容器本体Ａの長さＨ１以下で、且つ、長さＨ１の５０％以上であることが望ましい。長さＨ２は長さＨ１の５０％以上である場合により好ましい強度を得ることが出来る。
【００６３】
なお、奥行長さＨ１は突出部Ｂ３、Ｂ４が通される孔Ａ５ａの長手方向に直角な方向の上面面部Ａ５の長さ（図３参照）であり、奥行長さＨ２は図４における折り線Ｔ２０、Ｔ２１、Ｔ２２に直角な方向の基部Ｂ１、Ｂ２が重なった時の長さである。さらに奥行き長さＨ１、Ｈ２に対して直角な幅方向長さＨ４が包装容器本体Ａの幅方向長さＨ３（図３、４参照）以下で、且つ、幅方向横長さＨ３の５０％以上であることが望ましい。最も好ましくは、上面面部Ａ５とつり下げ部材Ｂの基部が実質同じ大きさである場合である。
【００６４】
また孔Ａ５ａは上面面部Ａ５の、奥行き方向及び横方向中央部にあることが、陳列の際収納容器本体が傾かず好ましい。
【００６５】
本実施例の場合、厚手の光沢紙１００枚を収容したシート積層体３個、即ち、３００枚のシート積層体が包装されたものが吊り下げ陳列されるが、吊り下げ部材Ｂの基部がＢ１とＢ２とにより重層構造となっているので、このような質量にも十分に耐えうるものとなる。Ｂ１とＢ２との重なり部は一部であってもよく、重なり面積が大きいほど強度は大きくなるが、図４で示す形状が上記図６（ｂ）での折り畳み工程が簡易であり、かつシート打ち抜きの際もシートの無駄部分が発生せず好ましい。
【００６６】
ユーザが図１の積層シート包装体を使用する場合、一旦、図５（ｂ）中間体Ｍ２の状態にまで分解し、シート積層体Ｃ１〜Ｃ３を取り出し、吊り下げ部材Ｂを取り去った後に、シート積層体Ｃ１〜Ｃ３を再装填したものを保管し、使用することができる。
【００６７】
吊り下げ部材Ｂは積層シート包装体を保管する場合には、箱から突出しているために、不要なスペースを占める邪魔なものとなるが、本発明のように、吊り下げ部材Ｂを取り外し可能とすることにより、不要なスペースなしで保管することが可能となる。
【００６８】
図９、１０は本発明の実施の形態２に係る積層シート包装体における吊り下げ部材Ｂを示す。なお、実施の形態２における包装容器本体Ａは前記に説明した実施の形態１と同じである。
【００６９】
吊り下げ部材Ｂは図９に示すシートＳ３から作成される。
【００７０】
シートＳは紙を裁断加工したものであり、基部Ｂ１、Ｂ２及び突出部Ｂ３からなる。基部Ｂ１と基部Ｂ２とは点線Ｔ３０で示す折り線Ｔ３を介して連続し、基部Ｂ１と突出部Ｂ３とは点線Ｔ３１で示す折り線を介して連続する。突出部Ｂ３には吊り具（図示せず）が通される孔Ｂ３ａが設けられ、基部Ｂ２には突出部Ｂ３が貫通する孔Ｂ２ｃが設けられる。
【００７１】
図１０（ａ）に示すように、基部Ｂ１を基部Ｂ２に対して矢印Ｙ１のように折り曲げるとともに、突出部Ｂ３を基部Ｂ１に対して矢印Ｙ２のように折り曲げる。これにより、図１０（ｂ）に示すように突出部Ｂ３が孔Ｂ２ｃに貫入し、基部Ｂ１が基部Ｂ２に平行になるように折り畳まれる。図１０（ｃ）は折り畳み処理されたシートＳ３を示すが、図１０（ｃ）のシートＳ３が図１の吊り下げ部材Ｂとして用いられる。
【００７２】
即ち、シートＳ３を図５（ａ）の矢印Ｗ１のように、包装容器本体Ａに挿入することにより、図５（ｂ）に示す中間体Ｍ２ができあがる。
【００７３】
本実施の形態においては、突出部Ｂ３は１枚の紙からなるが、突出部Ｂ３を支える基部がＢ１とＢ２とからなる重層構造であるので、十分な強度が得られる。
【００７４】
そして、実施の形態１と同様に、ユーザが積層シート包装体を使用するに際しては、吊り下げ部材Ｂを取り外して使用できるので、取り扱い、保管等において、吊り下げ部材が邪魔にならない。
【図面の簡単な説明】
【００７５】
【図１】本発明の実施の形態に係る積層シート包装体の斜視図である。
【図２】本発明の実施の形態に係る積層シート包装体の断面図である。
【図３】包装容器本体Ａに形成される前のシートＳ１を示す図である。
【図４】吊り下げ部材Ｂに形成される前のシートＳ２を示す図である。
【図５】包装容器本体Ａの組み立て工程を示す図である。
【図６】吊り下げ部材Ｂの組み立て工程を示す図である。
【図７】吊り下げ部材Ｂの断面図である。
【図８】シート積層体Ｃ１〜Ｃ３を示す図である。
【図９】吊り下げ部材に形成される前のシートＳ３を示す図である。
【図１０】吊り下げ部材Ｂの組み立て工程を示す図である。
【符号の説明】
【００７６】
Ａ  包装容器本体
Ａ５ａ  孔
Ｂ  つり下げ部材
Ｂ１、Ｂ２  基部
Ｂ３、Ｂ４  突出部
【図１】
2006264705.tif 000003
【図２】
2006264705.tif 000004
【図３】
2006264705.tif 000005
【図４】
2006264705.tif 000006
【図５】
2006264705.tif 000007
【図６】
2006264705.tif 000008
【図７】
2006264705.tif 000009
【図８】
2006264705.tif 000010
【図９】
2006264705.tif 000011
【図１０】
2006264705.tif 000012